(57)【要約】【課題】分割ベゼル同士を確実に固定すると共に、表示装置の薄型化を図ることに加え、ベゼル組み付けの作業性を向上させる。【解決手段】隣接する分割ベゼル２１，２２同士の連結部には、締結固定部と係止固定部とが設けられ、締結固定部には、ネジ４８が第１の方向Ａに挿入して固定され、係止固定部には、分割ベゼル２１，２２の一方に形成されて第１の方向Ａと異なる第２の方向Ｂに突出する突起５２が、分割ベゼル２１，２２の他方に形成された開口５３に係合されている。【選択図】図１
2007086625.tif 000002
【特許請求の範囲】
【請求項１】
表示パネルと、
前記表示パネルの周縁部に装着され、複数の分割ベゼルが連結して構成されたベゼルとを備えた表示装置であって、
隣接する前記分割ベゼル同士の連結部には、前記分割ベゼル同士が締結固定された締結固定部と、前記分割ベゼル同士が係止固定された係止固定部とが設けられ、
前記締結固定部には、締結部材が第１の方向に挿入して固定され、
前記係止固定部には、隣接する前記分割ベゼルの一方に形成されて前記第１の方向と異なる第２の方向に突出する突起が、隣接する前記分割ベゼルの他方に形成された開口に係合されている
ことを特徴とする表示装置。
【請求項２】
請求項１において、
前記突起は、断面多角形状に形成されている
ことを特徴とする表示装置。
【請求項３】
請求項１において、
前記第１の方向と前記第２の方向とは、互いに直交している
ことを特徴とする表示装置。
【発明の詳細な説明】
【技術分野】
【０００１】
本発明は、複数の分割ベゼルにより構成されたベゼルを有する表示装置に関するものである。
【背景技術】
【０００２】
表示装置の一つである液晶表示装置は、近年、薄型で低消費電力であるという特徴を生かして、例えば、いわゆる薄型テレビ、パーソナルコンピュータ等のＯＡ機器、携帯情報機器、及びカメラー体型ＶＴＲ等に広く用いられている。
【０００３】
このような液晶表示装置としては、例えば、視認性に優れた透過型の液晶表示装置が知られている。透過型の液晶表示装置は、表示パネルである液晶表示パネルと、例えば液晶表示パネルの背面側に配置されたバックライトユニット等の光源装置とを有している。そして、これら液晶表示パネル及びバックライトユニットは、矩形枠状のベゼルが装着されることにより互いに固定支持され、１つのモジュールを構成している。一般に、ベゼルは、ステンレスやアルミニウム等の薄い金属板を、打ち抜き加工ないしプレス加工することにより形成される。
【０００４】
ところで、近年、薄型テレビ等の分野では表示画面の大型化が急速に進められ、それに伴って、ベゼルも大きくなる傾向にある。ところが、ベゼルが大きくなると、打ち抜き加工において材料を効率よく使えず、さらに大きな金型も必要となるために製造コストが高くなるという問題がある。また、保管や輸送等における取り扱いも困難になってしまう。
【０００５】
そこで、ベゼルを複数の部材（各部材を分割ベゼルと称する）により構成し、これら分割ベゼルを互いに組み付けることにより、矩形枠状のベゼルを形成することが一般に知られている（例えば、特許文献１，２等参照）。このことにより、材料を効率よく利用できると共に大きな金型も不要となり、また、取り扱い性も向上する。
【０００６】
特許文献１のベゼルについて、その連結部分の拡大断面図である図４を参照して説明する。連結部分の外側には第１分割ベゼル１０１が配置され、その内側に第２分割ベゼル１０２が配置されている。
【０００７】
第２分割ベゼル１０２は鈍角に開いた略Ｌ字状の断面を有し、その断面は、図４で左右に延びる上壁１０２ａと、上壁１０２ａの右端から斜め右下方へ延びる側壁１０２ｂとにより構成されている。上壁１０２ａには上方に突出した突起１０３が形成されている。
【０００８】
一方、第１分割ベゼル１０１は、下方に開放されたコ字状の断面を有し、その断面は、図４で左右に延びる上壁１０１ａと、上壁１０１ａの右端から斜め右下方へ延びる側壁１０１ｂと、上壁１０１ａの左端から下方へ延びる側壁１０１ｃとにより構成されている。第１分割ベゼル１０１の側壁１０１ｂは、第２分割ベゼル１０２の側壁１０２ｂに沿って延びている。また、上壁１０１ａには貫通孔１０４が形成されている。
【０００９】
そして、第２分割ベゼル１０２の上壁１０２ａの幅が、第１分割ベゼル１０１の上壁１０１ａと略同じ幅に形成されることにより、第２分割ベゼル１０２が第１分割ベゼル１０１の内側に嵌挿して圧入されている。さらに、突起１０３が貫通孔１０４に係合することにより係止固定されている。
【００１０】
しかし、この特許文献１のベゼルは第２分割ベゼル１０２を下方から支持する構造を有しないため、第２分割ベゼル１０２は図４で下方へ位置ずれし易い。さらに、比較的大きな外力が第２分割ベゼル１０２に加わると、第２分割ベゼル１０２が第１分割ベゼル１０１から外れてしまう虞れもある。つまり、この特許文献１のベゼルでは、確実に連結状態を維持することが難しいという問題がある。
【００１１】
そこで、断面図である図５に示すように、第１分割ベゼル１０１に対し、第２分割ベゼル１０２を下方から支持するためのガイドを形成することが考えられる。すなわち、第１分割ベゼル１０１の側壁１０１ｃには、第２分割ベゼル１０２における上壁１０２ａの下面を支持するガイド１０５を形成する。一方、第１分割ベゼル１０１の側壁１０１ｂには、第２分割ベゼル１０２における側壁１０２ｂの下端を支持するガイド１０６を形成する。
【００１２】
このことにより、第２分割ベゼル１０２が下方から支持されるので、突起１０３の貫通孔１０４への係合状態を維持でき、各分割ベゼル１０１，１０２同士を確実に連結保持できる。しかしながら、ガイド１０５，１０６を形成するためのスペースが必要となるため、液晶表示装置の薄型化を図ることが困難になる。さらに、ガイド１０５が液晶表示パネル側に突出しているため、このガイド１０５によって液晶表示パネルを傷つけてしまう虞れもある。
【００１３】
また、特許文献２の分割ベゼルは断面コ字状の開口を有している。そして、隣接する分割ベゼル同士は、（1）一方が他方へ嵌め込まれて圧入されることにより互いに固定され、（2）一方の分割ベゼルに形成された突起が他方の分割ベゼルに形成された貫通孔に係合することによって係止固定され、又は（3）ネジ止めによって締結固定されている。
【００１４】
この特許文献２のベゼルは、連結状態を維持できるものの、断面がコ字状に形成されているために、その断面の幅方向の厚みが大きくなることが避けられない。つまり、特許文献２のベゼルについても、同様に、液晶表示装置の薄型化又は狭額縁化を図ることが難しいという問題がある。
【００１５】
ところで、隣接する分割ベゼル同士を確実に連結固定するためには、ネジ止めによる締結固定も好ましい。断面図である図６に示すように、角材状に形成された第１分割ベゼル１０１の内部に、Ｌ字状のガイド溝１０７を形成する。そして、Ｌ字状の第２分割ベゼル１０２をガイド溝１０７に挿通させた状態で、第１分割ベゼル１０１の外側からネジ１０８を締結して、第１分割ベゼル１０１で第２分割ベゼル１０２を挟み込むようにして固定することが考えられる。
【００１６】
しかし、図６で２点鎖線で示すように、ネジ１０８を締結固定し且つガイド溝１０７を形成するための領域１０９が第１分割ベゼル１０１に必要となり、この領域１０９が、ベゼルの内側に液晶表示パネルを配置する障害となってしまうという問題がある。
【特許文献１】特開２００４−５５５２４号公報
【特許文献２】特開平１１−１３３４１８号公報
【発明の開示】
【発明が解決しようとする課題】
【００１７】
このように、分割ベゼル同士を、１方向からの締結固定又は係止固定によって、位置ずれしないように確実に固定し、且つ表示装置の薄型化を図ることは困難である。表示装置の薄型化がより強く求められている近年では、分割ベゼルを構成する板材料自体の厚みも薄型化されていることもあって、この問題は特に顕著になっている。
【００１８】
そこで、斜視図である図７に示すように、異なる２方向から、それぞれネジ１１１，１１２によって締結固定することが考えられる。このようにすれば、一方の分割ベゼルを支持するためのガイドを形成しなくても、分割ベゼル同士を位置決めしつつ確実に固定維持することが可能となる。
【００１９】
しかしながら、１つの連結箇所毎に２つのネジ止めが必要となるので、分割ベゼルの組み付け作業に手間がかかるという問題がある。さらに、組み付け時に、分割ベゼルの向きを間違え易いという問題もある。
【００２０】
本発明は、斯かる諸点に鑑みてなされたものであり、その目的とするところは、分割ベゼル同士を位置ずれしないように確実に固定すると共に、表示装置の薄型化を図ることに加え、ベゼル組み付けの作業性を向上させることにある。
【課題を解決するための手段】
【００２１】
上記の目的を達成するために、この発明では、分割ベゼル同士を、第１の方向に締結固定すると共に、第２の方向に係止固定するようにした。
【００２２】
具体的に、本発明に係る表示装置は、表示パネルと、前記表示パネルの周縁部に装着され、複数の分割ベゼルが連結して構成されたベゼルとを備えた表示装置であって、隣接する前記分割ベゼル同士の連結部には、前記分割ベゼル同士が締結固定された締結固定部と、前記分割ベゼル同士が係止固定された係止固定部とが設けられ、前記締結固定部には、締結部材が第１の方向に挿入して固定され、前記係止固定部には、隣接する前記分割ベゼルの一方に形成されて前記第１の方向と異なる第２の方向に突出する突起が、隣接する前記分割ベゼルの他方に形成された開口に係合されている。
【００２３】
前記突起は、断面多角形状に形成されていることが好ましい。
【００２４】
前記第１の方向と前記第２の方向とは、互いに直交していることが望ましい。
【００２５】
−作用−
次に、本発明の作用について説明する。
【００２６】
ベゼルは、隣接する複数の分割ベゼルが連結部において互いに連結されることにより形成されている。分割ベゼルの連結部には、締結固定部と係止固定部とが設けられている。締結固定部では、締結部材が第１の方向に挿入されることによって、分割ベゼルが締結固定されている。一方、係止固定部では、隣接する分割ベゼルの一方に突起が形成されている。突起は、前記第１の方向と異なる第２の方向に突出している。また、隣接する分割ベゼルの他方には、開口が形成されている。そうして、係止固定部では、前記開口に前記突起が係合することによって、分割ベゼルが係止固定されている。
【００２７】
すなわち、分割ベゼル同士を２方向から固定しているので、その位置ずれを防止することが可能となる。さらに、一方を係止固定するようにしたので、ベゼルの組み付けの作業性が向上する。しかも、係止状態を維持するためのガイド構造が不要となるので、表示装置の薄型化が図られる。
【００２８】
突起が断面多角形状に形成されていると、第２の方向を軸とする分割ベゼルの回動が防止されるため、隣接する分割ベゼル同士をさらに正確に位置決めすることが可能となる。また、第１の方向と第２の方向とが互いに直交していると、より確実に位置ずれが防止される。
【発明の効果】
【００２９】
本発明によれば、分割ベゼル同士を、第１の方向に締結固定し且つ第２の方向に係止固定するようにしたので、分割ベゼル同士を位置ずれしないように確実に固定できると共に、省スペース化によって表示装置の薄型化を図ることができる。そのことに加えて、一方を係止固定するようにしたので、ベゼルの組み付けの作業性を向上させることができる。
【発明を実施するための最良の形態】
【００３０】
以下、本発明の実施形態を図面に基づいて詳細に説明する。尚、本発明は、以下の実施形態に限定されるものではない。
【００３１】
《発明の実施形態１》
図１〜図３は、本発明の実施形態１を示している。本実施形態では、表示装置の一例として液晶表示装置Ｓについて説明するが、本発明は、表示パネルを有する他の表示装置に同様に適用することができる。
【００３２】
分解斜視図である図３に示すように、液晶表示装置Ｓは、表示パネルである液晶表示パネル１と、光源であるバックライトユニット２と、ベゼル３とを備えている。
【００３３】
液晶表示パネル１は、拡大断面図である図２に示すように、ＴＦＴ等のスイッチング素子（図示省略）が複数形成されたＴＦＴ基板１１と、液晶層（図示省略）を介してＴＦＴ基板１１に対向して配置された対向基板１２とを有している。ＴＦＴ基板１１には、各ＴＦＴに接続された図示省略の走査配線及び信号配線が形成されている。一方、対向基板１２には、図示省略の共通電極やカラーフィルタ等が形成されている。
【００３４】
ＴＦＴ基板１１は、表示に寄与する表示領域１５と、その周囲に形成されて表示に寄与しない額縁領域１６とを有している。額縁領域１６には、複数のフィルム基板１３を介して基板１４が接続されている。基板１４は、例えば、ＴＦＴ基板１１の隣り合う２辺に沿って設けられている。この基板１４には、上記各ＴＦＴを駆動するための駆動回路（図示省略）が設けられている。そして、駆動回路は、フィルム基板１３を介して上記走査配線や信号配線に接続されることにより、各ＴＦＴに駆動信号を供給するようになっている。
【００３５】
バックライトユニット２は、例えば、エッジライト方式のバックライトを有している。すなわち、バックライトユニット２は、図示を省略するが、導光板と、導光板の側辺に並んで配置された複数のＬＥＤ光源と、光学シート等とにより構成されている。そして、図３で上側の出射面から均一な面状光を出射するようになっている。
【００３６】
そうして、図２及び図３に示すように、液晶表示パネル１は、バックライトユニット２の出射面にＴＦＴ基板１１が重なるように配置され、基板１４がバックライトユニット２の側方に配置されている。つまり、図２に示すように、基板１４は、ＴＦＴ基板１１に対して垂直な方向に延びるように配置されている。このことにより、基板１４がＴＦＴ基板１１と同じ平面上に配置される場合に比べて、液晶表示装置Ｓの額縁面積を低減することができる。
【００３７】
ベゼル３は、図３に示すように、矩形枠状に形成され、バックライトユニット２及び液晶表示パネル１の周縁部に装着されるようになっている。ベゼル３の断面は略Ｌ字状に形成され、液晶表示パネル１の上面周縁部と側面とを覆うようになっている。
【００３８】
そして、ベゼル３は、複数の分割ベゼル２１，２２が互いに連結することによって構成されている。本実施形態では、ベゼル３は、例えば４つの分割ベゼル２１，２２からなる。図３に示すように、分割ベゼル２１は棒状に形成される一方、分割ベゼル２２は、コ字状に形成され、これら分割ベゼル２１，２２が交互に連結されることによって、ベゼル３は全体として矩形枠状に形成されている。
【００３９】
次に、ベゼル３の連結部３０の構造について詳細に説明する。
【００４０】
各分割ベゼル２１，２２は、拡大斜視図である図１に示すように、液晶表示パネル１の表面に対して平行に延びる上壁２１ａ，２２ａと、上壁２１ａ，２２ａの外側端辺から下方へ延びる側壁２１ｂ，２２ｂとにより構成されている。そのことにより、分割ベゼル２１の断面は、上壁２１ａ及び側壁２１ｂの断面によりＬ字状に形成されている。同様に、分割ベゼル２２の断面は、上壁２２ａ及び側壁２２ｂの断面によりＬ字状に形成されている。
【００４１】
分割ベゼル２２の端部には、Ｌ字状断面の角部に分割ベゼル２２の長さ方向に延長されて突出した凸角部３２が形成されている。すなわち、凸角部３２は、上壁２２ａの端部における外側部分が延長された延長壁３２ａと、側壁２２ｂの端部における上側部分が延長された延長壁３２ｂとにより構成されている。そして、この延長壁３２ａ，３２ｂからなる凸角部３２も断面Ｌ字状に形成されている。
【００４２】
一方、分割ベゼル２１の端部には、Ｌ字状断面の角部に上記凸角部３２に嵌合する凹角部３１が形成されている。すなわち、凹角部３１は、上壁２１ａの端部における外側部分に形成された切欠部３１ａと、側壁２１ｂの端部における上側部分に形成された切欠部３１ｂとにより構成されている。そして、凸角部３２が凹角部３１に嵌合した状態で、切欠部３１ａには延長壁３２ａが嵌合すると共に、切欠部３１ｂには延長壁３２ｂが嵌合するようになっている。
【００４３】
そして、隣接する分割ベゼル２１，２２同士の連結部３０には、図２に示すように、分割ベゼル２１，２２同士が締結固定された締結固定部４１と、分割ベゼル２１，２２同士が係止固定された係止固定部４２とが設けられている。
【００４４】
すなわち、分割ベゼル２１における側壁２１ｂの切欠部３１ｂには、分割ベゼル２１の基端側から先端側へ向かって側壁２１ｂと平行に延びる第１ブラケット４５が形成されている。第１ブラケット４５は、側壁２１ｂの外側面から内側へ、側壁２１ｂの厚みよりも僅かに大きく一段下がった位置に設けられることにより、側壁２１ｂと共に段差を形成している。第１ブラケット４５の先端側には、第１の方向Ａである側方から貫通された貫通孔４６が形成されている。
【００４５】
また、他方の分割ベゼル２２の側壁２２ｂにも、第１の方向Ａである側方から貫通された貫通孔４７が形成されている。貫通孔４７は、凸角部３２が凹角部３１に嵌合した状態で、貫通孔４６に重なるようになっている。そうして、締結固定部４１では、締結部材であるネジ４８を、第１の方向Ａから各貫通孔４６，４７に挿入して固定することにより、分割ベゼル２１，２２同士を締結固定するようになっている。第１の方向Ａは、側壁２２ｂ，２２ｂの外側面に直交する方向である。尚、締結部材には、ネジ４８に限らず、リベット等の他の部材を適用することが可能である。
【００４６】
一方、分割ベゼル２１における上壁２１ａの切欠部３１ａには、分割ベゼル２１の基端側から先端側へ向かって上壁２１ａと平行に延びる第２ブラケット５１が形成されている。第２ブラケット５１は、上壁２１ａの外側面から内側へ、上壁２１ａの厚みよりも僅かに大きく一段下がった位置に設けられることにより、上壁２１ａと共に段差を形成している。第２ブラケット５１の先端側には、第２の方向Ｂである上方に突出した突起５２が形成されている。ここで、第２の方向Ｂと第１の方向Ａとは互いに直交しているが、第１の方向Ａと異なる方向となるような他の構造にしてもよい。
【００４７】
突起５２は、第２の方向Ｂに垂直な断面が十字状に形成されている。尚、突起５２の断面形状は特に限定されるものではないが、位置ずれ防止の観点から、四角形や三角形等の他の多角形状に形成されることが好ましい。
【００４８】
また、他方の分割ベゼル２２の上壁２２ａには、開口５３が形成されている。開口５３は、十字状に形成され、凸角部３２が凹角部３１に嵌合した状態で、前記突起５２が係合するようになっている。こうして、分割ベゼル２１，２２同士は、係止固定部４２において互いに係止固定されている。
【００４９】
液晶表示装置Ｓを製造する場合には、予め製造した液晶表示パネル１及びバックライトユニット２に対して、分割ベゼル２１，２２を互いに組み付けたベゼル３を装着する。
【００５０】
すなわち、液晶表示パネル１は、ＴＦＴ基板１１及び対向基板１２を貼り合わせると共に液晶層を形成する。その後、ＴＦＴ基板１１にフィルム基板１３を介して基板１４を接続する。一方、ＬＥＤ光源を導光板の側方に配置すると共に光学シート等を導光板の上面側に積層して設ける。そのことにより、バックライトユニット２を製造する。その後、液晶表示パネル１をバックライトユニット２の上面がに重ねる。このとき、基板１４をバックライトユニット２の側面に沿って配置させる。
【００５１】
一方、分割ベゼル２１，２２を矩形枠状に連結してベゼル３を製造する。すなわち、一方の分割ベゼル２２の凸角部３２を、他方の分割ベゼル２１の凹角部３１に嵌合させる。このとき、分割ベゼル２１の突起５２を分割ベゼル２２の開口５３に係合させる。そのことにより、各分割ベゼル２１，２２は、第２の方向Ｂ周りに回動することもなく互いに正確に位置決めされる。その後に、貫通孔４６，４７にネジ４８を挿入して締結する。その結果、分割ベゼル２１，２２同士は、締結固定部４１で締結固定されると共に係止固定部４２で係止固定されるため、確実に連結状態が維持される。
【００５２】
続いて、バックライトユニット２に重ねられた液晶表示パネル１に対して、ベゼル３を装着する。そのことにより、バックライトユニット２及び液晶表示パネル１の周縁部は、ベゼル３によって覆われて互いに支持される
−実施形態１の効果−
したがって、この実施形態１によると、分割ベゼル２１，２２同士を、第１の方向Ａに挿入したネジ４８によって締結固定し、且つ第２の方向Ｂに突出した突起５２によって係止固定するようにしたので、分割ベゼル２１，２２同士を位置ずれしないように確実に固定することができる。さらに、一方の分割ベゼル２１を突起５２の突出方向（つまり、第２の方向Ｂ）に支持するためのガイドを形成しなくても、その分割ベゼル２１を締結固定部４１によって支持できる。その結果、分割ベゼル２１における省スペース化によって液晶表示装置Ｓの薄型化を図ることができる。そのことに加えて、分割ベゼル２１，２２の連結部３０における２方向の固定方法のうち一方を係止固定としたので、２方向ともネジ止めする場合に比べて、ベゼル３の組み付け作業性を大幅に向上させることができる。
【００５３】
さらに、突起５２を断面十字形状に形成したので、第２の方向Ｂを軸とする分割ベゼル２１，２２の回動を防止できため、隣接する分割ベゼル２１，２２同士をさらに正確に位置決めすることができる
《その他の実施形態》
上記実施形態１では一方の分割ベゼル２１に第１ブラケット４５及び第２ブラケット５１の双方を形成するようにしたが、本発明はこれに限定されない。すなわち、分割ベゼル２１，２２の一方に第１ブラケット４５のみを形成し、且つ他方に第２ブラケット５１を形成して、上記実施形態１と同様に、締結固定及び係止固定を行うようにしてもよい。
【産業上の利用可能性】
【００５４】
以上説明したように、本発明は、複数の分割ベゼルにより構成されたベゼルを有する表示装置について有用であり、特に、分割ベゼル同士を位置ずれしないように確実に固定すると共に、表示装置の薄型化を図ることに加え、ベゼル組み付けの作業性を向上させる場合に適している。
【図面の簡単な説明】
【００５５】
【図１】実施形態１の分割ベゼル同士の連結部を拡大して示す分解斜視図である。
【図２】ベゼルの連結部を拡大して示す断面図である。
【図３】液晶表示装置の構成を示す分解斜視図である。
【図４】従来のベゼルの連結部を示す断面図である。
【図５】ガイドが形成された従来のベゼルの連結部を示す断面図である。
【図６】一方向にネジ止めして連結固定する構造を示す断面図である。
【図７】２方向からネジ止めして連結固定する構造を示す分解斜視図である。
【符号の説明】
【００５６】
Ｓ      液晶表示装置（表示装置）
Ａ      第１の方向
Ｂ      第２の方向
１      液晶表示パネル（表示パネル）
３      ベゼル
２１，２２      分割ベゼル
３０      連結部
４１      締結固定部
４２      係止固定部
４８      ネジ（締結部材）
５２      突起
５３      開口
【図１】
2007086625.tif 000003
【図２】
2007086625.tif 000004
【図３】
2007086625.tif 000005
【図４】
2007086625.tif 000006
【図５】
2007086625.tif 000007
【図６】
2007086625.tif 000008
【図７】
2007086625.tif 000009